(57)【要約】      （修正有）【課題】着用した時に、心地良いサイクリングウェアを提供する。【解決手段】ユーザーが着用した時に、ユーザーの体と向き合う、クロッチ部の内側にスリーブ部材２０を備え、ユーザーの陰部、特にペニスを収容する孔を有しているサイクリングウェアである。【選択図】図２
2012224972.tif 000002
【特許請求の範囲】
【請求項１】
サイクリング用のスポーツウェア（１０，１０A）であって、前記スポーツウェアは、クロッチ領域（１３）に当て物を備え、このクロッチ領域の内側に配置されるスリーブ部材（２０）は、スポーツウェア着用時にユーザーの身体に対面し、前記スリーブ部材は、着用中にユーザーのペニスを収容するように配置されていることを特徴とするスポーツウェア。
【請求項２】
前記スリーブ部材が、開前部(２３)と開後部(２４)とを有することにより、着用中にユーザーのペニスを収容する通過収容部を形成することを特徴とする請求項１に記載のスポーツウェア。
【請求項３】
前記スリーブ部材が、スポーツウェアのシートパッド(３０)に連結されていることを特徴とする請求項１または２に記載のスポーツウェア。
【請求項４】
前記シートパッド(３０)が、スポーツウェアに連結する前連結領域(３１)と、スポーツウェアに連結する後連結領域(３２)と、スポーツウェア連結されない中央部と、を備え、前記中央部は、スポーツウェアの内側のクロッチ領域内にシートパッドのルーズなブリッジ部を形成し、前記スリーブ部材(２０)が、前記ルーズなブリッジ部に連結されていることを特徴とする請求項１〜３のいずれかに記載のスポーツウェア。
【請求項５】
前記スリーブ部材が、前記シートパッド(３０)または前記シートパッドの前記ルーズなブリッジ部に連結された布パッチ(２１)を備えることを特徴とする請求項３または４に記載のスポーツウェア。
【請求項６】
前記布パッチが、スポーツウェア着用中にペニスを収容するためにユーザーの身体に対面する前部に少なくとも、略円弧状のカット、Ｖ字状のカットまたはＵ字状のカット（２５，２６）を有していることを特徴とする請求項５に記載のスポーツウェア。
【請求項７】
該スポーツウェアは、ユーザーの胴部を少なくとも部分的に覆う上部（１１）とショートパンツまたはロングパンツを成す下部（１２）とを有する一体型のスポーツウェアであることを特徴とする請求項１〜６のいずれかにに記載のスポーツウェア。
【発明の詳細な説明】
【技術分野】
【０００１】
本発明は、特にサイクリング用のスポーツウェアに関する。本発明は特に、サイクリングパンツ等のスポーツウェアに関する。
【背景技術】
【０００２】
身体の下腹部や坐骨は自転車のサドルと接触するものであり、集中的にサイクリングを行う間、不快や痛みを引き起こすが、サイクリングパンツは、この下腹部や坐骨を保護するために、やわらかい材料で構成されたシートパッドを備えている。前記シートパッドは通常、衝撃や疲労ストレスを和らげることができるやわらかい材料の複数の層と、肌に接触する布層とを備えている。
【０００３】
特許文献１には、膨張材料のベース層と、ユーザーの身体に接触する弾性布とから構成されたインサートの形態のシートパッドを有するサイクリストパンツが開示されている。
【０００４】
ユーザーの陰部を保護するだけのために、特別な配慮がなされている。特許文献２には、男性の陰部、特に陰のう部を隠蔽し支持するよう、身体構造を考慮してデザインされたサイクリングスーツが開示されている。
【０００５】
シートパッドの性能や快適性を向上するため、特に集中的な使用時における性能や快適性の向上のため、絶え間ない努力がなされてきた。特に、身体に適応しぴったりとフィットすることに加えて、クロッチ部分や陰部を適切に保護することが、サイクリングスーツには、最も重要な要件の一つとなっている。
【先行技術文献】
【特許文献】
【０００６】
【特許文献１】欧州特許出願公開第１２６９８７３号明細書
【特許文献２】欧州特許出願公開第１９７２２１６号明細書
【特許文献３】欧州特許出願公開第１８３４５３２号明細書
【発明の概要】
【発明が解決しようとする課題】
【０００７】
アンダーウェアを使用する必要があると、サイクリング用アウトフィットの性能を制限してしまうことを、本願出願人は見出した。実際、通常のアンダーウェアは、ある種のサイクリングウェアに比べて、肌へのタイト感、密着感や、身体の動きに追従する能力に劣っている。アンダーウェアは、例えばシームを有し、集中的な使用時にユーザーに不快感を与えてしまう。さらに一般化すれば、２種類の服、すなわちアンダーウェアとサイクリング用アウトフィットとを使用することは、身体への適合を考えれば有効ではないと認識されてきた。サイクリングウェアは、第２の肌として機能する必要があるため、この不利益は無視出来るレベルではない。他方、アンダーウェアを着用せずサイクリングを行えば、陰部の収まりが悪いためにフィットせず、この理由により、今までのところアンダーウェアの着用は、これに伴う欠点はあるものの必須とみなされてきた。この問題は、従来技術では解決されていないどころか、認識すらされていなかった。
【課題を解決するための手段】
【０００８】
本発明は、男性の陰部、特にペニスに対する収容・格納部を、サイクリングウェアに包含させることを提案するものである。クロッチ部に当て物を備えるサイクリングウェアにおいて、クロッチ部の内側にスリーブ部材を備え、このスリーブ部材は、ウェア着用時にユーザーの身体に対面し、着用中は男性の陰部、とくにペニスを収容するように配置されるようにすることで、上記の課題は解決される。
【０００９】
好ましくは、このスリーブ部材は開前部と開後部を有し、着用中のユーザーのペニスに対する通過収容部を形成する。
【００１０】
このウェアは、シートパッドを備えることによりクロッチ部に当て物を与えてもよい。この場合、本発明の具体例によっては、スリーブ部材がシートパッドと連結されていてもよい。他の具体例では、ウェアの選択した部分と連結しあるいはこれに包含された、やわらかな保護パッドにより、シートパッドの機能が実現され、パッドレスの模範的な具体例では、ウェアは、周囲部およびクロッチ部中央線に相互に連結される複数の布部を備え、少なくとも２つの成形保護パッドがサドル領域でクロッチ中央線に対して対称に配置されるよう、これら布部のうち２枚はクロッチ部中央線で相互に連結され、この２枚の布部による構造体が、シートパッドとして機能する。パッドレスウェアの例としては、同じ出願人による特許文献３に、さらに開示されている。
【００１１】
好適な具体例によれば、ペニス収容のためのスリーブ部材は、シートパッドの中央のルーズな部分と連結されている。より詳細には、ウェアは、クロッチ部にシートパッドを備え、このシートパッドは、ウェアへの前連結領域と、ウェアへの後連結領域と、ウェアへの取り付けに関わりの無い中央部とを備えている。この中央部は、ウェアの内側クロッチ区域内のシートパッドのルーズなブリッジ部を構成し、ペニス収容のためのスリーブ部材は、このルーズなブリッジ部に連結する。この具体例の利点としては、スリーブ部材が、ウェアの内部クロッチ区域の中を自由に動くことができ、自転車のペダリング動作に、実質的に影響を受けないことである。
【００１２】
好適な具体例では、スリーブ部材は、ウェアのシートパッドに取り付けた布パッチで形成され、より好適な具体例では、スリーブ部材は、シートパッドの上記のルーズな部分に取り付けられている。パッチの側縁が、シートパッドまたはシートパッドの上記ルーズな部分に取り付けられていることが好ましい。ユーザーの身体に対面する前部に少なくとも対応した形状のカットを有していることがさらに好ましい。このカットは、態様に応じて、略円弧状のカット、Ｖ字状のカット、Ｕ字状のカット等であってもよい。
【００１３】
シートパッドのルーズなブリッジ部は、前連結領域の端部と後連結領域の端部とにより、その外縁が与えられ、これは、連続的な連結ラインとして、あるいは複数の連結点としての、いずれかにより認識される。前連結領域の左端とこれに対応する後連結領域の左端との距離、または前連結領域の右端とこれに対応する後連結領域の右端との距離を、少なくとも５ｃｍとすることで、このシートパッドのブリッジ部のルーズフィット効果を発揮することができる。この距離は、上記のような、シートパッドの突起部分上の、シートパッドの長手方向中央線に平行なラインに沿って測定される。既知の連結方法を用いて、上記の連結ラインや連結点を実現することができ、その方法には例えば、縫製，接着や，あるいは熱溶着等の別の手法が含まれる。
【００１４】
シートパッドの前部と後部の一方または双方が、凹型のシェル状形状であってもよい。スポーツパンツの身体構造への適合性を高め着用性を高めるには、凹型のシェル状形状が好ましい。
【００１５】
シートパッドの詳細は、既知の技術にしたがって実現可能である。シートパッドは、やわらかい材料により実現され、例えば、布地のポケット内に挿入された一つ以上のソフトスポンジ要素を備えていてもよい。
【００１６】
本発明のウェアは、少なくともユーザーの胴部を覆う上部と、ショートパンツまたはロングパンツを成す下部とを有する一体型であることが好ましい。本発明の別の具体例では、冬用のウェアや夏用のウェアが含まれる。
【００１７】
本発明によるウェアは、男性ユーザーがアンダーウェアを着用しない場合にも使用することができ、陰部、とくにペニスに対して安全な収容を実現する。本発明は、集中的な使用時においてペダリング動作の往復運動にも実質的に影響を受けない、安定したペニスの収容を実現する。
【００１８】
シートパッドのルーズな部分を有する好適な具体例では、身体が最高の当て物効果を必要とする重要な前／後クロッチ領域内で、シートパッドがウェアに密着した状態を保つ一方、中央のルーズな領域は、快適性を向上させ、身体の動きに正確に追従する性能を向上させる。シートパッドは、ペダリング動作のもとでも自由にツイストすることが可能であり、一方中央のルーズな部分はほぼ自由な状態を保つため、やわらかいパッドは、身体に対する高い適応性、とりわけ男性の陰部に対する良好な支持を、与えることができる。
【００１９】
本発明において用いるスポーツウェアの語は、ショートパンツまたはロングパンツから成るウェアを広く含んでいてもよく、あるいは、パンツの部分を備えるウェア、例えば一体型のウェアを広く含んでいてもよい。更に詳細には、サイクリングウェアの語は、サイクリングスポーツで用いることに適したウェアアイテムのことを指し、例えば、ショートパンツやロングパンツ、オーバーオール、タイツ、ボディースーツ等を挙げることができる。シートパッドの語は、自転車の使用中にサドルと接触する身体の下腹部を保護するため、パンツに連結されたまたはパンツ自身の中に形成された成形パッドを識別するために用いられる。
【００２０】
本発明の利点は、以下に記載する具体例に関する説明より明らかである。このような具体例は、本発明を限定するものではない。
【図面の簡単な説明】
【００２１】
【図１】本発明の一具体的に従ったサイクリングウェアの正面図である。
【図２】図１のウェアの裏面図である。
【図３】図１のウェアの一部の詳細な図である。
【図４】本発明の一具体的に従ったウェアのシートパッドの断面図である。
【図５】本発明に従った他のパンツの正面図である。
【発明を実施するための形態】
【００２２】
図１は、サイクリングウェア１０の外観であり、これは、胴部の一部を覆うショルダーストラップを有する上部１１と、パンツとして機能する下部１２とを有している。ウェア１０は、クロッチ領域１３を有し、このクロッチ領域は、例えばウェアの内側に連結したシートパッドによって当て物がなされ、やわらかいパッドを備えている。
【００２３】
図２は、ウェア１０を裏表（裏返し）にした図であり、内側のシーム１４示している。この図からわかるように、ウェア１０は、スリーブ部材２０を有し、このスリーブ部材は、クロッチ領域の内側に位置し、ウェア着用の際にユーザーの身体に対面する。このスリーブ部材２０は、ウェア着用の際に、ユーザーのペニスを収容できるようにする。
【００２４】
図面の具体例では、上記スリーブ部材２０は、布パッチ２１を有するように実現され、この布パッチは例えば、ウェアのシートパッドに、その側縁２２に沿って連結される。スリーブ部材２０は、アンダーウェア無しでウェアを着用する際にペニスを導入するための開前部２３と、開後部２４とを有している。上記布パッチ２１は、図３に詳細が示されるように、前部２３に前形状カット２５を、後部２４に後形状カット２６を、それぞれ有していることが好ましい。この前形状カット２５および後形状カット２６は、略円弧状、Ｖ字状、Ｕ字状等であってもよい。
【００２５】
図４の断面図には、好ましい具体例が示されている。符号１５は、クロッチ領域に位置するウェア１０の布部分を示し、符号３０で大まかに示される上記シートパッドは、ウェア１０に連結され、そして、ペニス収容のためのスリーブ部材２０は、上記シートパッド３０に連結されている。更に詳細には、好ましい具体的において、シートパッド３０は、連結手段３１，３２によってウェア１０の一部に取り付けられ、この連結手段は、連続的な連結ライン（例えばシームライン）で、あるいは複数の連結点で、形成されていてもよい。シートパッド３０の中央部分は、ウェア１０への連結から自由であり、このため、この中央部分はルーズなままであり、空間３３をなしている。布パッチ２１の側縁２２は、シートパッド３０にこのルーズな中央部で連結されている。図４は、スリーブ部材２０が、シートパッド３０と布パッチ２１との間の通過チャンネル２７を画定することを示し、このチャンネル２７はウェア着用時にユーザーのペニス収容のための空間を与える。
【００２６】
ここで連結の参照事項には、例えば、縫製，接着や，あるいは熱溶着等を含む既知の技術が含まれていてもよいことに注意すべきである。
【００２７】
図５にはウェア１０Aの別の具体例が示され、これは一対のサイクルパンツとして形成され、上記のようなスリーブ部材２０を備えている。
【００２８】
本発明の使用法は次の通りである。すなわち、ウェア１０またはウェア１０Aは、男性ユーザーがアンダーウェア不着用時に、スリーブ部材２０により形成されたチャンネル２７内にペニスを導入して着用する（図４）。そして、陰部とくにペニスは収容され、集中的な使用時にも安定した位置に保たれる。
【符号の説明】
【００２９】
１０  スポーツウェア
１１  上部
１２  下部
１３  クロッチ領域
１４  シーム
１５  布部分
２０  スリーブ部材
２１  布パッチ
２２  側縁
２３  開前部
２４  開後部
２５  前形状カット
２６  後形状カット
２７  通過チャンネル
３０  シートパッド
３１  連結手段
３２  連結手段
３３  空間
【図１】
2012224972.tif 000003
【図２】
2012224972.tif 000004
【図３】
2012224972.tif 000005
【図４】
2012224972.tif 000006
【図５】
2012224972.tif 000007